(57)【特許請求の範囲】
【請求項１】
作業者が把持する棒状部、および、該棒状部の先端側に配置されて各種の機能具を着脱する着脱部を有して、作業内容に応じて先端側の着脱部の機能具を交換することにより作業対象物に所望の操作を加える作業棒に対して装着する装着具であって、
作業棒の先端側の着脱部に取り付けられて機能する機能部と、作業棒の棒状部に取り付けられて操作する操作部と、該操作部および機能部に連結されて当該操作部に加えられる操作力を機能部に伝達する伝達部と、を備えており、
機能部は、回動軸を中心に相対的に回動して先端部が接離することにより所望の動作を行う一対の回動部材を有し、
操作部は、回動軸を中心に棒状部に接離する方向に回動自在に軸支されたレバーを有し、
伝達部は、機能部の一方の回動部材および操作部のレバーを連結する連結棒を有することにより、
操作部のレバーの回動により伝達部の連結棒が作業棒と略平行に移動して機能部の回動部材を回動させることにより当該一対の回動部材の先端部が接離して所望の動作を行うことを特徴とする作業棒用装着具。
【請求項２】
前記機能部は、一対の回動部材の先端部が接近または離隔する方向に少なくとも一方の回動部材を付勢する付勢手段が配置されていることを特徴とする請求項１に記載の作業棒用装着具。
【請求項３】
前記機能部の回動部材および前記操作部のレバーと前記伝達部の連結棒との連結部は、所定以上の力で押し込むことにより離脱不能に連結される一方、所定以上の力で引っ張ることにより離脱させることのできるジョイント構造になっていることを特徴とする請求項１または２に記載の作業棒用装着具。
【請求項４】
前記作業棒の棒状部に前記伝達部の連結棒を略平行な姿勢に保持する保持部材を有することを特徴とする請求項１から３のいずれかに記載の作業棒用装着具。
【発明の詳細な説明】
【技術分野】
【０００１】
本発明は、作業棒用装着具に関し、詳しくは、作業対象に応じて機能具を着脱することにより各種操作に用いることのできる作業棒をより有効利用することを可能にするものに関する。
【背景技術】
【０００２】
従来より、遠隔位置の作業対象物を把持することのできるヤットコが知られている。例えば、電圧の掛かっている電線に直接接触して感電する恐れがないように作業する、所謂、間接活線工法にもヤットコが多用されており、電柱に架設されている電線に防護管を被せたり、電線に碍子をネジ止めする作業や、その電柱の上部に営巣されたカラスの巣を除去するなどの作業等が行われている。
【０００３】
この種のヤットコとしては、例えば、図１０に示すように、作業対象物を把持する把持部１１０と、作業者が操作する操作部１２０と、この操作部１２０が手元側に配置されるとともに把持部１１０が離隔する先端位置に連結されてそれぞれを支持するとともに操作部１２０からの操作力を把持部１１０に伝達して動作させる支持伝達部１３０と、を備えており、このようなヤットコ１００は、支持伝達部１３０がプラスチックなどからなる部材で作製されることによりその把持部１１０と操作部１２０との間の絶縁性が確保されている。なお、このヤットコ１００には、把持部１１０側からの水分を滴下させたり安全に作業を行い得る限界位置を示す傘カバー４１４、１４２が支持伝達部１３０（後述する支持棒１３１および伝達棒１３２）に設けられている。
【０００４】
このヤットコ１００の把持部１１０は、支持伝達部１３０の支持棒１３１に固設されている不動部材（回動部材）１１１と、支持伝達部１３０の支持棒１３１側に配設された回動軸１１３を中心に回動自在に支持されている可動部材（回動部材）１１２とを備えており、この把持部１１０の可動部材１１２が支持伝達部１３０の伝達棒１３２を介して操作部１２０のレバー１２１に連結されている。これにより、ヤットコ１００の把持部１１０は、操作部１２０のレバー１２１が回動されて支持伝達部１３０の伝達棒１３２を介して牽引などされて、可動部材１１２が不動部材１１１に対して相対的に回動することにより、それぞれの先端部が接離して、作業対象物を掴んだり離したりすることができる（例えば、特許文献１〜３参照）。なお、このヤットコには、一般的な作業に用いられるニッパなどを把持部の先端に取り付けることにより機能性を高めることも提案されている（例えば、特許文献４参照）。
【０００５】
また、間接活線工法では、多種・多様の作業に適用されており、ヤットコよりも効率よくその作業を行い得るように機能する機能具を、絶縁性の確保された操作棒（作業棒）に取り付けることも多用されている。
【０００６】
この種の操作棒としては、例えば、図１に示すように、作業者が把持する棒状部１１と、この棒状部１１の先端側で各種機能具を着脱する着脱部１２と、を備えており、この操作棒１０は、作業内容に応じて着脱部１２に取り付ける機能具を、ノコギリやフックなどの一般的な作業に適したものに交換したり、円筒型のカットアウト内のヒューズ筒の交換などに適したものなどに交換することにより、作業対象物に所望の操作を加えて作業することができる（例えば、特許文献５、６参照）。
【０００７】
しかしながら、このような間接活線工法では、各種機能具を取り付けた操作棒と共にヤットコを携行して、作業内容に応じて適宜使い分けることが快適に作業を行う上で有効であるが、この間接活線工法は、電柱などの高所に登って作業することが多く、操作棒と共にヤットコを一緒に持っていくことは難しい。また、このヤットコは、高価な道具であることから、全ての作業車に装備することも難しい。
【特許文献１】特開２０００−１０２１２５号公報
【特許文献２】特開２００２−８５１４号公報
【特許文献３】特開２００５−２２０５１号公報
【特許文献４】特開２００３−２２４９１０号公報
【特許文献５】特開平９−２８２９９８号公報
【特許文献６】特開２００３−１８９４３３号公報
【発明の開示】
【発明が解決しようとする課題】
【０００８】
そこで、本発明は、操作棒（作業棒）をヤットコとしても利用可能にすることにより、高所などでの作業を快適かつ安価に行い得るようにして、作業棒の利便性を向上させる装着具を提供することを目的とする。
【課題を解決するための手段】
【０００９】
上記課題を解決する作業棒用装着具の第１の発明は、作業者が把持する棒状部、および、該棒状部の先端側に配置されて各種の機能具を着脱する着脱部を有して、作業内容に応じて先端側の着脱部の機能具を交換することにより作業対象物に所望の操作を加える作業棒に対して装着する装着具であって、作業棒の先端側の着脱部に取り付けられて機能する機能部と、作業棒の棒状部に取り付けられて操作する操作部と、該操作部および機能部に連結されて当該操作部に加えられる操作力を機能部に伝達する伝達部と、を備えることを特徴とするものである。
【００１０】
この発明では、先端に機能具を取り付けて把持する状態で作業する作業棒に、その機能具に代えて機能部を取り付けるとともに、作業者の把持する部位に操作部を取り付けて、この機能部と操作部とを伝達部により連結して操作可能にする。これにより、前後左右上下への移動や回転により先端側の機能具を機能させて作業するだけの作業棒に、機能部、操作部および伝達部を装着するだけで、先端側の機能部を手元の操作部から操作可能な道具を組み立てることができる。したがって、作業棒としての機能に加えて、遠隔位置の作業対象物に対して先端側の機能部を手元の操作部から操作して所望の作業を施すことができ、その機能部を適宜交換することにより多種・多様の作業を行うことができる。
【００１１】
上記課題を解決する作業棒用装着具の第２の発明は、上記第１の発明の特定事項に加え、前記機能部は、回動軸を中心に相対的に回動して先端部が接離することにより所望の動作を行う一対の回動部材を有し、前記操作部は、回動軸を中心に棒状部に接離する方向に回動自在に軸支されたレバーを有し、前記伝達部は、機能部の一方の回動部材および操作部のレバーを連結する連結棒を有することにより、操作部のレバーの回動により伝達部の連結棒が作業棒と略平行に移動して機能部の回動部材を回動させることにより当該一対の回動部材の先端部が接離して所望の動作を行うことを特徴とするものである。
【００１２】
この発明では、作業棒の手元に取り付けられた操作部のレバーを回動させることにより、伝達部の連結棒をその作業棒の棒状部と略平行に移動させて、作業棒先端の機能部の回動部材を相対的に回動させてその先端部間を接離させることができる。これにより、先端側の機能部の回動部材の先端部間に作業対象物を掴むなどすることができる。したがって、前後左右上下への移動や回転により機能させる作業棒（所謂、操作棒）として利用するのに加えて、所謂、ヤットコとしても利用することができる。
【００１３】
上記課題を解決する作業棒用装着具の第３の発明は、上記第２の発明の特定事項に加え、前記機能部は、一対の回動部材の先端部が接近または離隔する方向に少なくとも一方の回動部材を付勢する付勢手段が配置されていることを特徴とするものである。
【００１４】
この発明では、作業棒の先端で相対的に回動可能な機能部の回動部材の少なくとも一方がその他方に向かって接近または離隔する方向に付勢されている。これにより、機能部の回動部材は、操作部のレバーを操作しない限り、互いに接近または離隔する状態の自然状態に復帰することができる。したがって、その回動部材の先端部を作業対象物に近づけて操作部のレバーを一方向に回動させる操作を行うだけで、その作業対象物を掴んだり拡開させるなどの作業を行うことができ、この後には、そのレバーを放すだけで掴んだ対象物を解放するなどして、容易に次の作業を実行可能な状態に復帰することができる。
【００１５】
上記課題を解決する作業棒用装着具の第４の発明は、上記第２または第３の発明の特定事項に加え、前記機能部の回動部材および前記操作部のレバーと前記伝達部の連結棒との連結部は、所定以上の力で押し込むことにより離脱不能に連結される一方、所定以上の力で引っ張ることにより離脱させることのできるジョイント構造になっていることを特徴とするものである。
【００１６】
この発明では、作業棒に取り付けた機能部の回動部材と操作部のレバーのそれぞれに、伝達部の連結棒をある程度の力で押し付けたり引っ張ることにより着脱することができる。これにより、機能部の回動部材および操作部のレバーに伝達部の連結棒を、例えば、ネジやドライバーなどの特別な部品や道具を用いることなく連結して組み立てることができる。したがって、機能部の回動部材、操作部のレバーおよび伝達部の連結棒を作業棒と共に携行するだけで、所謂、ヤットコとしても簡単に利用することができる。
【００１７】
上記課題を解決する作業棒用装着具の第５の発明は、上記第２から第４のいずれかの発明の特定事項に加え、前記作業棒の棒状部に前記伝達部の連結棒を略平行な姿勢に保持する保持部材を有することを特徴とするものである。
【００１８】
この発明では、作業棒先端の機能部の回動部材と操作部のレバーと連結する伝達部の連結棒を、別個の部品である保持部材によりその作業棒の棒状部に略平行な姿勢で保持させることができる。これにより、伝達部の連結棒は、例えば、機能部の回動部材に連結させた状態にしなくても、作業棒から脱落してしまうことなく保持することができる。したがって、作業棒に操作部のレバーや伝達部の連結棒を取り付けた状態のまま、作業棒の先端から機能部を外して他の機能具に交換することができ、作業棒としてそのまま利用することができる。
【発明の効果】
【００１９】
このように本発明によれば、先端の機能具を交換して前後左右上下への移動や回転により所望の作業を行う作業棒に、その機能具に替えて機能部を取り付けるとともに、操作部や伝達部を取り付けるだけで、先端の機能部を手元で操作して、遠隔位置の作業対象物に所望の作業操作を施すことができ、例えば、機能部として一対の回動部材を取り付けて操作部のレバーの操作によりその回動部材の先端部を接離させることにより、作業棒をヤットコにして利用することができる。
【００２０】
したがって、例えば、嵩張って作業棒と共にヤットコを携行することができない高所などの作業場所でも、作業棒や機能具と共に機能部や操作部などの部品を携行するだけで、ヤットコを安価かつ容易に組み立てて作業に利用することができ、作業棒の利便性を向上させて快適に作業することができる。
【発明を実施するための最良の形態】
【００２１】
以下、本発明の最良の実施形態を図面に基づいて説明する。図１〜図９は本発明に係る作業棒用装着具の一実施形態を作業棒に取り付けてヤットコを組み立てた場合の一例を示す図である。
【００２２】
図１において、操作棒１０は、長尺に形成されて作業者が把持する棒状部１１と、この棒状部１１の先端側に配置されて各種機能具を着脱する着脱部１２と、を備えており、作業者が棒状部１１を把持して着脱部１２に装着したフックなどの機能具を、離隔位置の作業対象に接近させることにより、例えば、高所の電線などに所望の作業・操作を施す、所謂、間接活線工法を実現することができる。
【００２３】
この操作棒１０は、例えば、図２に示すＣＦアタッチメント（機能具）２０を着脱部１２に装着して間接活線工法を行うこともでき、このＣＦアタッチメント２０は、電柱等の高所に設置されている図３に示す円筒型カットアウト３０の本体部３１内に、ヒューズ筒３２を着脱する作業を容易かつ安全に行うことができる。
【００２４】
棒状部１１は、例えば、プラスチックなどの絶縁材料を中空の円筒形状に成形することにより絶縁性が確保されて、両端部間の中間部分に傘カバー１３、１４が取り付けられており、先端側の傘カバー１３が着脱部１２側からの水分を滴下させるとともに、基端側の傘カバー１４が先端側からの絶縁性を考慮しての安全に作業を行い得る限界位置を示して、作業する際の安全を確保している。なお、棒状部１１の作業員が把持する部分には、滑り難い材質の取り替え可能な滑り止めが施されている。
【００２５】
着脱部１２には、棒状部１１と同軸方向に突出する本体軸部１５と、この本体軸部１５の周面の互いの反対側で突起形状に立設されている一対のピン１６と、本体軸部１５の先端面から突出するように不図示の内蔵スプリングにより付勢されている突起１７と、本体軸部１５の棒状部１１側の周面に刻設された不図示のネジ形状に螺合して上下動するグリップ１８と、が配置されている。
【００２６】
この着脱部１２に装着するＣＦアタッチメント２０は、この着脱部１２に相対回転不能かつ脱落不能に係合・係止させるように設計されたジョイント部２１を備えており、このジョイント部２１は、着脱部１２の本体軸部１５を差し込んで収装可能に基端側後端面を開口させた有底の円筒形状に形成されている本体筒部２２と、この本体筒部２２の周面部の互いの反対側に位置して概略Ｔ字形状に切り欠かれている一対のＴ字切欠部２３と、により構成されている。ここで、Ｔ字切欠部２３は、詳細には、本体筒部２２の後端面側から先端側に向う差込溝部２３ａと、この差込溝部２３ａに連続してその直交方向の両側に延在する回転溝部２３ｂと、この回転溝部２３ｂの両端部から本体筒部２２の後端面側に戻る係合溝部２３ｃと、を備えるＴ字形状に切欠・形成されている。
【００２７】
これにより、ＣＦアタッチメント２０のジョイント部２１は、操作棒１０の着脱部１２のピン１６を、本体筒部２２のＴ字切欠部２３の差込溝部２３ａ内に差し込みつつ、その着脱部１２の本体軸部１５を本体筒部２２内の奥まで差し込んだ後に、互いに相対回転させることにより、そのＴ字切欠部２３の回転溝部２３ｂの端部に突き当たるまで進入させることができる。このとき、着脱部１２の本体軸部１５は、ジョイント部２１の本体筒部２２の底面に突き当たって突起１７が沈んだ状態で相対回転した後に、その本体筒部２２内に差し込む力が解放されると、その突起１７が内蔵スプリングの弾性力により突出して本体筒部２２を押し返すことになり、そのＴ字切欠部２３の回転溝部２３ｂから係合溝部２３ｃ内に着脱部１２のピン１６が進入して相対回転不能にして離脱不能に係合させることができる。また、この操作棒１０は、着脱部１２のグリップ１８を回転させてジョイント部２１側に寄せることにより、ピン１６が係合溝部２３ｃ内から離脱して回転しないようにロックすることができ、ＣＦアタッチメント２０のジョイント部２１が操作棒１０の着脱部１２から相対回転して外れてしまうことを信頼性高く防止することができる。
【００２８】
また、ＣＦアタッチメント２０は、円筒型カットアウト３０の本体部３１内に着脱するヒューズ筒３２の下部３２ａを収装可能に開口する概略円筒形状に形成された保持部２４がジョイント部２１の反対側の先端に配置されており、この保持部２４内にヒューズ筒３２の下部３２ａを収装した状態で一方向に相対回転させることにより、不図示の係合機構により離脱不能に係合させるとともに、反対の他方向に相対回転させることによりそのヒューズ筒３２の下部３２ａを離脱可能に解放するように設計されている。
【００２９】
これにより、ＣＦアタッチメント２０は、保持部２４内に一方向に相対回転させて離脱不能に下部３２ａを係合させた状態のヒューズ筒３２を、円筒型カットアウト３０の本体部３１の下部に開口する挿入口３３から差し込んでセットすることができ、その円筒型カットアウト３０の電源接続部３６と負荷接続部３７との間をヒューズ筒３２内に内装する不図示のヒューズを介して電気的に接続して、商用電源側の電線から分岐させた電線Ｄ１を負荷装置側の電線Ｄ２に導通接続させることができる。また、このＣＦアタッチメント２０は、閉止蓋３４を外した状態の円筒型カットアウト３０の挿入口３３から本体部３１内に差し込んで、ヒューズ筒３２の下部３２ａを保持部２４内に収装した状態にして一方向に相対回転させることにより離脱不能に係合させた後に、そのヒューズ筒３２をその挿入口３３から引き出すように降下させて離脱させることができ、その円筒型カットアウト３０の電源接続部３６（電線Ｄ１）と負荷接続部３７（電線Ｄ２）との間の導通接続を遮断することができる。
【００３０】
また、円筒型カットアウト３０の本体部３１の挿入口３３を閉止する閉止蓋３４は、円筒形状部３４ａを外側（下側）に向けた姿勢でその挿入口３３に押し付けることにより、挿入口３３の外縁側の内周面の複数箇所に設置されている板バネ３５を押し広げて落下しないように保持させることができる一方、反対に下方に引かれることにより挿入口３３の外縁の板バネ３５を押し広げて離脱させることができる。この閉止蓋３４は、円筒型カットアウト３０の本体部３１に一端側を固設された吊り下げ紐３８の他端側に連結されており、その吊り下げ紐３８により落下して紛失することが防止されているとともに、その吊り下げ紐３８を引っ張ることによりその挿入口３３から容易に離脱させることができる。ここで、この円筒型カットアウト３０の閉止蓋３４は、ＣＦアタッチメント２０の保持部２４の内部（円筒形状内）に円筒形状部３４ａを差し込んで保持させた状態にして（円筒形状部３４ａを下側に向けた姿勢で）その挿入口３３に押し付けることにより、取り付けることができる。
【００３１】
そして、操作棒１０には、図４〜図８に示す各部よりなる装着具が取付可能に準備されており、この装着具は、操作棒１０の着脱部１２に取り付けられて所望の動作を行うように機能する機能装着具（機能部）４０と、操作棒１０の棒状部１１の傘カバー１４よりも基端側（作業者の把持する箇所）で操作可能に取り付けられる操作装着具（操作部）５０と、この機能装着具４０および操作装着具５０に連結されてその操作装着具５０での作業者による操作を機能装着具４０に伝達して機能させる伝達装着具（伝達部）６０と、伝達装着具６０が不安定にならないように操作棒１０の棒状部１１に略平行な姿勢に保持させる保持部材７０と、により構成されている。
【００３２】
機能装着具４０は、図４に示すように、ＣＦアタッチメント２０と同様に、ジョイント部２１を備えることにより操作棒１０の着脱部１２に着脱可能に設計されており、このジョイント部２１の本体筒部２２の先端面に立設されている２枚一組の不動部材（回動部材）４１と、この不動部材４１に挟まれて中間部を回動軸４２により回動可能に支持されている可動部材（回動部材）４３と、この可動部材４３の回動軸４２よりも先端側と本体筒部２２の先端面との間に両端部を連結されてその可動部材４３の先端部４３ａを不動部材４１の先端部４１ａから離隔させる方向に牽引（付勢）するスプリング（付勢手段）４４と、を備えている。この機能装着具４０の不動部材４１と可動部材４３は、互いの先端部４１ａ、４３ａが接近する方向に屈曲しており、スプリング４４により十分に牽引されている自然状態では互いの先端部４１ａ、４３ａが離隔して作業対象物などを間に挿入することができ、また、その先端部４１ａ、４３ａが接近したときにはその間に存在する作業対象物などを掴むことができる。
【００３３】
操作装着具５０は、図５に示すように、操作棒１０の棒状部１１の外周面に沿うように形成されてその棒状部１１を挟み込むようにして挟持する円弧部５１ａが互いに対面する平板形状の中央に形成された一対の挟持部材５１と、「く」の字に形成されてその屈曲部を挟持部材５１の一端側に回動可能に軸支されるレバー５２と、を備えている。挟持部材５１の一端側は、不図示のねじ穴にボルト５３ａを貫通させてナット５３ｂを螺合させることにより対面間隔を調整するように設計されており、そのボルト５３ａをレバー５２の屈曲部に開口する不図示の貫通穴内に貫通させて、そのレバー５２の回動を制限しない程度の対面間隔に調整することにより回動自在に軸支する。また、挟持部材５１の他端側は、一端側と同様にボルト５４ａを貫通可能に不図示のねじ穴が一方に開口するが、その他方には、そのボルト５４ａを端辺側から挿入・離脱可能に拡開する切欠部５１ｂが形成されており、ボルト５４ａに蝶ナット５４ｂを螺合させて切欠部５１ｂの両側を押し付けることにより、挟持部材５１の他端側を締め付けて、操作棒１０の棒状部１１の外周面を円弧部５１ａで挟持して移動不能に取り付けることができる。なお、レバー５２は、作業者の手の保護などのために、一端側にラバー５５が巻かれている。
【００３４】
伝達装着具６０は、図６に示すように、棒状部１１と略同様に、例えば、プラスチックなどの絶縁材料を中空の円筒形状に成形した本体部（連結棒）６１により絶縁性が確保されており、この本体部６１が操作棒１０に取り付けた機能装着具４０と操作装着具５０とを連結可能な長さに作製されている。この本体部６１には、棒状部１１の傘カバー１３に対応する位置に傘カバー６３が取り付けられており、この傘カバー６３は、同様に、先端側（操作棒１０の着脱部１２側）からの水分を滴下させて、作業する際の安全を確保している。
【００３５】
また、この伝達装着具６０の本体部６１の両端部には、概略円筒形状に形成された受け部６２が固設されており、機能装着具４０の可動部材４３の後端部４３ｂや操作装着具５０のレバー５２の他端部５２ａ（ラバー５５の反対側）には、その伝達装着具６０の受け部６２内に差込可能に概略円柱形状に形成された差込部４６、５６が連結部材４７、５７の回動軸４７ａ、５７ｂにより回動自在に連結されている。この差込部４６、５６の周面には、内蔵する板バネなどの付勢部材により付勢されて突出する突起４６ａ、５６ａが配設されており、受け部６２にはその突起４６ａ、５６ａが突出することを許容する空間を画成するように窪み形状６２ａが対応する位置に形成されている。なお、この差込部４６、５６には、受け部６２内に必要以上差し込まれるのを制限するためにフランジ形状４６ｂ、５６ｂが形成されている。
【００３６】
これにより、機能装着具４０の可動部材４３の後端部４３ｂと操作装着具５０のレバー５２の他端部５２ａとは、差込部４６、５６を伝達装着具６０の受け部６２内に差し込んで所定以上の力で押し込むことによりその突起４６ａ、５６ａを突出力（付勢力）に抗して沈めさせつつ進入させることができ、その突起４６ａ、５６ａが受け部６２の窪み形状６２ａで突出することにより所定以上の力で引き抜かない限り離脱不能に連結させて容易に組み立てることができる。すなわち、この差込部４６、５６と受け部６２がジョイント構造に設計されている。ここで、差込部４６、５６は、連結部材４７、５７により姿勢を自由に変化可能に機能装着具４０の可動部材４３や操作装着具５０のレバー５２に連結されているので、伝達装着具６０の受け部６２内に差し込む際に連設されている可動部材４３やレバー５２の姿勢などに関係なくその作業を容易に行うことができる。
【００３７】
したがって、図７に示すように、棒状部１１に操作装着具５０を取り付けた状態にしておくことにより、ネジやドライバーなどの特別な部品や道具を用いることなく、操作棒１０の着脱部１２に機能装着具４０を容易に着脱することができるとともに、この機能装着具４０と操作装着具５０とに伝達装着具６０を容易に連結することができ、図１１に図示するヤットコ１００と同等のヤットコ８０を安価に組み立てて使用することができる。
【００３８】
保持部材７０は、図７および図８に示すように、操作棒１０の棒状部１１と略同径の開口７１ａを有する第１保持部７１と、伝達装着具６０の本体部６１と略同径の開口７２ａを有する第２保持部７２と、が両端部に形成されており、ある程度の弾性変形可能な樹脂材料を成形することにより作製されている。この保持部材７０の第１、第２保持部７１、７２は、その操作棒１０の棒状部１１と伝達装着具６０の本体部６１とを平行にしたときの離隔距離に略一致する間隔に設定されているとともに、その伝達装着具６０の本体部６１を機能装着具４０と操作装着具５０に連結したときにはその本体部６１が間に位置して自由に平行移動できるように設計されている。また、この保持部材７０の第１、第２保持部７１、７２には、棒状部１１と本体部６１の直径よりも幅狭に設定されている切欠部７１ｂ、７２ｂがそれぞれの同じ側に形成されており、その切欠部７１ｂ、７２ｂから操作棒１０の棒状部１１や伝達装着具６０の本体部６１を押し込むことにより第１、第２保持部７１、７２の開口７１ａ、７２ａ内に内装させて保持することができる。ここで、第１保持部７１の内面には、ゴム材料７３が貼付されており、内装する操作棒１０の棒状部１１に密着することにより自由に回転してしまうことが制限されている。
【００３９】
したがって、操作棒１０の棒状部１１に操作装着具５０と伝達装着具６０を取り付けて、その伝達装着具６０の本体部６１を保持部材７０に保持させたり外すことにより、操作棒１０の着脱部１２に不図示の機能具や機能装着具４０を着脱して作業を行うことができる。
【００４０】
例えば、図９に示すように、操作棒１０の棒状部１１と伝達装着具６０の本体部６１を保持部材７０により平行の姿勢に保持させた状態で、その操作棒１０の着脱部１２にＣＦアタッチメント２０を装着することにより、円筒型カットアウト３０内にヒューズ筒３２を着脱する作業を行うことができ、この後には、図７に示すように、その伝達装着具６０の本体部６１を保持部材７０の第２保持部７２から外して機能装着具４０の可動部材４３に連結することにより、操作棒１０をヤットコ８０に容易に組み立てて作業を行うことができる。
【００４１】
そして、このヤットコ８０は、機能装着具４０のスプリング４４により離隔する不動部材４１と可動部材４３の先端部４１ａ、４２ａの間に、円筒型カットアウト３０の閉止蓋３４の円筒形状部３４ａを差し込んだ後に、操作装着具５０のレバー５２のラバー５５を握ることにより、伝達装着具６０の本体部６１を略平行に牽引・移動させて機能装着具４０の可動部材４３を不動部材４１に対して相対回動させ互いの先端部４１ａ、４３ａを接近させることができ、図１０に示すように、その閉止蓋３４の円筒形状部３４ａを先端部４１ａ、４３ａ間で把持した状態で安定した姿勢のまま円筒型カットアウト３０の挿入口３３に直接（力を入れられる状態で）押し付けて取り付けることができる。
【００４２】
なお、このとき、ヤットコ８０は、操作装着具５０のレバー５２を握る力を緩めると、機能装着具４０のスプリング４４により不動部材４１と可動部材４３の先端部４１ａ、４２ａの間が離隔されて次の作業を開始可能な待機（自然）状態に復帰することができ、円筒型カットアウト３０の閉止蓋３４の円筒形状部３４ａを離して、他の作業を続けて行うことができる。
【００４３】
このように本実施形態においては、重量のある図１１に示すヤットコ１００を高所に持ち上げることなく、また、専用でないＣＦアタッチメント２０の保持部２４内に差し込んで不安定な姿勢のまま閉止蓋３４の円筒形状部３４ａを円筒型カットアウト３０の挿入口３３に作業性悪く押し付けるのではなく、前後左右上下や回転させるだけの単なる棒状の操作棒１０とともに機能装着具４０、操作装着具５０、伝達装着具６０を携行するだけでヤットコ８０を容易かつ安価に組み立てて、あるいは、保持部材７０を用いることにより半組立状態のまま携行して、操作棒１０やヤットコ８０として利用することができ、円筒型カットアウト３０内にヒューズ筒３２をセットする作業に連続してその挿入口３３に閉止蓋３４を安定させた姿勢で容易に取り付けることができる。
【００４４】
したがって、嵩張って操作棒１０と共に従来のヤットコ１００を携行することができない高所の電柱の上などでも、操作棒１０と共に、その操作棒１０からヤットコ８０を簡易かつ安価に組み立てて利用することができ、操作棒１０の利便性を向上させる。
【産業上の利用可能性】
【００４５】
これまで本発明の一実施形態について説明したが、本発明は上述の実施形態に限定されず、その技術的思想の範囲内において種々異なる形態にて実施されてよいことは言うまでもない。
【図面の簡単な説明】
【００４６】
【図１】本発明に係る作業棒用装着具の一実施形態を取り付ける作業棒の一例である操作棒を示す図であり、その概略全体構成を示す平面図である。
【図２】その作業棒の先端に取り付ける機能具の一例であるＣＦアタッチメントを示す平面図である。
【図３】その作業棒で作業する対象物の一例である円筒型カットアウトを示す一部縦断面図である。
【図４】その作業棒に取り付ける機能部を示す斜視図である。
【図５】その作業棒に取り付ける操作部を示す斜視図である。
【図６】その作業棒に取り付ける伝達部を示す斜視図である。
【図７】その作業棒に機能部、操作部、伝達部を取り付けて組み立てたヤットコの概略全体構成を示す平面図である。
【図８】その作業棒に取り付ける保持部材を示す平面図である。
【図９】その作業棒に操作部、伝達部、保持部材を取り付けて他の機能具を装着した状態で使用例を示す平面図である。
【図１０】その作業棒に機能部、操作部、伝達部を取り付けて組み立てたヤットコによる使用を説明する斜視図である。
【図１１】従来のヤットコの全体構成を示す平面図である。
【符号の説明】
【００４７】
１０……操作棒    １１……棒状部    １２……着脱部    １３、１４、６３……傘カバー    １５……本体軸部    １６……ピン    １７……突起    １８……グリップ    ２０……ＣＦアタッチメント    ２１……ジョイント部    ２２……本体筒部    ２３……Ｔ字切欠部    ２４……保持部    ３０……円筒型カットアウト    ３１……本体部    ３２……ヒューズ筒    ３２ａ……下部    ３３……挿入口    ３４……閉止蓋    ３４ａ……円筒形状部    ３５……板バネ    ３６……電源接続部    ３７……負荷接続部    ３８……吊り下げ紐    ４０……機能装着具    ４１……不動部材    ４１ａ……先端部    ４２……回動軸    ４３……可動部材    ４３ａ……先端部    ４４……スプリング    ４６、５６……差込部    ４６ａ、５６ａ……突起    ４７、５７……連結部材    ５０……操作装着具    ５１……挟持部材    ５２……レバー    ５５……ラバー    ６０……伝達装着具    ６１……本体部    ６２ａ……窪み形状    ６２……受け部    ７０……保持部材    ７１ａ、７２ａ……開口    ７１ｂ、７２ｂ……切欠部    ７１、７２……保持部    ７３……ゴム材料    ８０……ヤットコ
【図１】
0004429239.tif 000002
【図２】
0004429239.tif 000003
【図３】
0004429239.tif 000004
【図４】
0004429239.tif 000005
【図５】
0004429239.tif 000006
【図６】
0004429239.tif 000007
【図７】
0004429239.tif 000008
【図８】
0004429239.tif 000009
【図９】
0004429239.tif 000010
【図１０】
0004429239.tif 000011
【図１１】
0004429239.tif 000012